(57)【要約】【課題】  光ディスク上にＰＳ記録領域とＴＳ記録領域を効率的に割り当てる光ディスク装置と光ディスク処理方法を提供する。【解決手段】光ディスクの記録可能領域Ａ０にレーザ光を照射してＴＳ録画モード及びＰＳ録画モードにより情報を記録するドライブ部と、光ディスクの記録可能領域Ａ０の全てをＴＳ録画モードで記録するＴＳ未記録領域Ａ０とし、ＰＳ録画モードによる記録指示に応じてＴＳ未記録領域をＰＳ未記録領域Ａ４として管理情報を生成してＰＳ録画モードによる記録処理を行ない、ＰＳ録画モードによる記録処理が終了すると記録に使用しなかったＰＳ未記録領域Ａ６をＴＳ未記録領域Ａ５とする管理情報を生成する制御部をもつ光ディスク装置。【選択図】図１
2008027495.tif 000002
【特許請求の範囲】
【請求項１】
光ディスクの記録可能領域にレーザ光を照射してＴＳ録画モード及びＰＳ録画モードにより情報を記録するドライブ部と、
前記ドライブ部が認識した前記光ディスクの記録可能領域の全てを前記ＴＳ録画モードで記録するＴＳ未記録領域とし、前記ＰＳ録画モードによる記録指示に応じて前記ＴＳ未記録領域をＰＳ未記録領域として管理情報を生成して前記ＰＳ録画モードによる記録処理を行ない、前記ＰＳ録画モードによる記録処理が終了すると、記録に使用しなかった前記ＰＳ未記録領域をＴＳ未記録領域とする管理情報を生成する制御部を具備することを特徴とする光ディスク装置。
【請求項２】
前記制御部は、前記ＰＳ録画モードによる記録指示を受けると、予め定められた所定量の前記ＴＳ未記録領域をＰＳ未記録領域とする管理情報を生成して前記ＰＳ録画モードによる記録処理を行なうことを特徴とする請求項１記載の光ディスク装置。
【請求項３】
前記制御部は、予め定められた所定量の前記ＴＳ未記録領域をＰＳ未記録領域とする管理情報を生成し、前記所定量のＰＳ未記録領域の全てに記録処理を行なった後は、新たに追加して前記所定量のＰＳ未記録領域とする管理情報を生成することを特徴とする請求項２記載の光ディスク装置。
【請求項４】
前記制御部は、前記ＰＳ録画モードによる記録指示を受けると、前記ＴＳ未記録領域の全てを前記ＰＳ未記録領域とする管理情報を生成して前記ＰＳ録画モードによる記録処理を完了すると、その後に残った前記ＰＳ未記録領域を前記ＴＳ未記録領域とする管理情報を生成することを特徴とする請求項１記載の光ディスク装置。
【請求項５】
光ディスクの記録可能領域の全てを前記ＴＳ録画モードで記録するＴＳ未記録領域として管理情報を生成し、
前記ＰＳ録画モードによる記録指示を受けると、前記ＴＳ未記録領域をＰＳ未記録領域として管理情報を生成して前記ＰＳ録画モードによる記録処理を行ない、前記ＰＳ録画モードによる記録処理が終了すると、記録に使用しなかった前記ＰＳ未記録領域をＴＳ未記録領域とする管理情報を生成することを特徴とする光ディスク処理方法。
【請求項６】
前記ＰＳ録画モードによる記録指示を受けると、予め定められた所定量の前記ＴＳ未記録領域をＰＳ未記録領域とする管理情報を生成して前記ＰＳ録画モードによる記録処理を行なうことを特徴とする請求項５記載の光ディスク処理方法。
【請求項７】
予め定められた所定量の前記ＴＳ未記録領域をＰＳ未記録領域とする管理情報を生成し、前記所定量のＰＳ未記録領域の全てに記録処理を行なった後は、新たに、前記所定量のＴＳ未記録領域を前記所定量のＰＳ未記録領域とする管理情報を生成することを特徴とする請求項６記載の光ディスク処理方法。
【請求項８】
前記ＰＳ録画モードによる記録指示を受けると、前記ＴＳ未記録領域の全てを前記ＰＳ未記録領域とする管理情報を生成して前記ＰＳ録画モードによる記録処理を完了すると、その後に残った前記ＰＳ未記録領域を前記ＴＳ未記録領域とする管理情報を生成することを特徴とする請求項５記載の光ディスク処理方法。
【発明の詳細な説明】
【技術分野】
【０００１】
この発明は、ＴＳ未記録領域とＰＳ未記録領域を指定する光ディスク装置及び光ディスク処理方法に関する。
【背景技術】
【０００２】
最近、光ディスクを記録媒体とするＤＶＤ（Digital Versatile Disc）等の普及が進み、更に、ハイビジョン等の高画質の映像を記録することができるＨＤ ＤＶＤ（High Definition Digital Versatile Disc）等の開発・製造が進められている。
【０００３】
このＨＤ ＤＶＤに対しては、従来のＭＰＥＧ（Moving Picture Expert Group）ファイルやアナログ放送信号、現行ＤＶＤ等の映像信号を扱うＰＳ（Program Stream）録画モードによる記録処理と共に、地上波デジタル放送や、アライブ規格であるＴＳ（Transport Stream）録画モードによる記録処理が可能である。
【０００４】
このような複数の録画モードを一つのディスク上に実現するには、複数種類の録画領域の管理情報を生成し管理する技術が必要となる。
【０００５】
特許文献１には、例えば、ＨＤＤのコンテンツ録画領域を、自動録画領域（ＣＰＵの処理により録画予約されたコンテンツを録画する録画領域）と、手動録画領域（利用者が手動で設定入力することにより記録されたコンテンツデータ、あるいは記録予約されたコンテンツデータを記録する記憶領域）として管理して、手動録画領域に空きがない場合に自動録画領域に録画する方式を示している。
【特許文献１】特開２００５−３４６８２６号公報（段落番号００３６乃至００３８及び図２）
【発明の開示】
【発明が解決しようとする課題】
【０００６】
しかし、特許文献１の従来技術は、自動録画領域と手動録画領域を管理するものであり、本発明の課題のように、光ディスク上にＰＳ録画モードとＴＳ録画モードとをどのように共存させるかについて何も示してはいない。
【０００７】
本発明は、光ディスク上にＰＳ記録領域とＴＳ記録領域を効率的に割り当てる光ディスク装置と光ディスク処理方法を提供することを目的とする。
【課題を解決するための手段】
【０００８】
課題を解決するための手段の一例は、光ディスク（Ｄ）の記録可能領域（Ａ０）にレーザ光を照射してＴＳ録画モード及びＰＳ録画モードにより情報を記録するドライブ部（１５）と、前記ドライブ部が認識した前記光ディスクの記録可能領域（Ａ０）の全てを前記ＴＳ録画モードで記録するＴＳ未記録領域（Ａ０）とし、前記ＰＳ録画モードによる記録指示に応じて前記ＴＳ未記録領域をＰＳ未記録領域（Ａ４）として管理情報を生成して前記ＰＳ録画モードによる記録処理を行ない、前記ＰＳ録画モードによる記録処理が終了すると、記録に使用しなかった前記ＰＳ未記録領域（Ａ６）をＴＳ未記録領域（Ａ５）とする管理情報を生成する制御部（１９）を具備することを特徴とする光ディスク装置である。
【発明の効果】
【０００９】
光ディスク上に効率的にＰＳ記録領域とＴＳ記録領域とを割り当てることができる光ディスク装置及び光ディスク処理方法を提供する。
【発明を実施するための最良の形態】
【００１０】
以下、この発明の実施の形態について図面を参照して詳細に説明する。  
図１は、本発明の一実施形態に係る光ディスク装置の構成の一例を示すブロック図である。図２は、同じく光ディスク装置が扱うＰＳ保存用ファイルとＴＳ保存用ファイルのイメージを示した説明図である。図３は、同じく光ディスク装置が扱う光ディスクの記録領域、未記録領域の遷移の一例を示す遷移図である。図４は、同じく光ディスク装置が扱う書換可能なＨＤ ＤＶＤにおける管理情報の遷移の一例を示す遷移図である。図５は、同じく光ディスク装置が扱うライトワンスのＨＤ ＤＶＤにおける管理情報の遷移の一例を示す遷移図である。図６は、同じく光ディスク装置の管理情報の生成処理の一例を示すフローチャートである。図７は、同じく光ディスク装置の管理情報の生成処理の他の一例を示すフローチャートである。図８は、同じく光ディスク装置のＰＳ保存用ファイルとＴＳ保存用ファイルの一例を示す説明図である。
【００１１】
＜本発明の一実施形態である光ディスク装置＞
（構成）
初めに、本発明の一実施形態である光ディスク装置の構成の一例を図１を用いて説明する。光ディスク装置は、図１に示すように、地上波デジタル放送やＢＳデジタル放送等のデジタル放送信号を受信するデジタルチューナ１０と、アナログ地上波放送、ＢＳアナログ放送等のアナログ放送信号を受信するアナログチューナ１１と、アナログチューナ１１等から供給される放送信号等をデコード処理するＭＰＥＧエンコーダ１３を有している。
【００１２】
更に光ディスク装置は、図１に示すように、デジタルチューナ１０又はＭＰＥＧエンコーダ１３等から映像信号を受けてデータ処理を行なう、又、再生した情報を一時的にバッファリング処理するデータ処理部１４と、ＨＤ ＤＶＤ等の光ディスクを回転させ、図示しない光ピックアップからレーザ光を照射し反射光を受光して情報を記録し再生するディスクドライブ部１５と、読み出した情報をデコードするＭＰＥＧデコーダ１６と、デコードされた信号に波形整形等を施したり、オーディオ信号を増幅したりする出力部１７と、図示しないリモコンや装置に設けられた操作キー等である操作部１８と、全体の動作を制御し及び後述するＰＳ記録領域又はＴＳ記録領域等を適宜割り当てる記録領域割当部を含む制御部１９を有している。
【００１３】
（動作）
このような構成をもつ光ディスク装置においては、例えば、デジタルチューナ１０からのデジタル信号はＴＳ録画モードにより光ディスクＤに記録され、アナログチューナ１１からのアナログ信号はＭＰＥＧエンコーダ１３等によりエンコードされて、ディスクドライブ部１５によりＰＳ録画モードによって光ディスクＤに記録される。
【００１４】
又、再生される際は、ディスクドライブ部１５により読み取った信号をデータ処理しデータ処理部１４から処理信号をＭＰＥＧデコーダ１６に供給し、ＭＰＥＧデコーダ１６では、デコードした映像及び音声信号を出力部１７に供給する。出力部１７では適正に映像処理又は増幅処理された映像及び音声信号が図示しないディスプレイやスピーカ等に供給される。
【００１５】
＜記録領域割当処理＞
次に、上述した光ディスク装置において、光ディスクＤに対して、ＴＳ録画モードで記録するためのＴＳ未記録領域又はＰＳ録画モードで記録するためのＰＳ未記録領域を割り当てる記録領域割当処理を図２乃至図８を用いて詳細に説明する。
【００１６】
図２に示すように、光ディスク装置において、光ディスクＤの記憶領域で扱うファイルは、ＰＳ保存用ファイル１とＴＳ保存用ファイル２である。
【００１７】
なお、以下の実施形態では便宜上、ＴＳ未記録領域の録画時間１０分の容量はＰＳ未記録領域の録画時間１０分の容量と対応するものとして説明しているが、録画密度を変えることで対応する時間は任意に変更することが可能となる。
【００１８】
（ＰＳ保存用ファイルとＴＳ保存用ファイル間の記録領域割当処理；図３）  
次に、光ディスク装置において、図３に示すように、ＰＳ保存用ファイル１とＴＳ保存用ファイル２の間の記録領域割当処理を説明する。ここでは、一例として、書換可能なＨＤ ＤＶＤへＰＳ録画を行なう場合の記録領域割当処理を説明する。
【００１９】
ＴＳ保存用ファイル２は、ＴＳ記録済み領域３１とＴＳ未記録領域３２をもっている。制御部１９の記録領域割当部は、操作部１８等からＰＳ録画を指示されると、ＰＳ保存用ファイル１の期間Ｔ１の状態から、ＰＳ保存用ファイル１の期間Ｔ２の状態に遷移し、ＴＳ保存用ファイルのＴＳ未記録領域３２の所定量（例えば１５分の容量）をＰＳ未記録領域３４として確保する。
【００２０】
次に、期間Ｔ３の状態が示すように、ＰＳ録画モードによる録画が開始し、ここでは１０分のＰＳ記録済み領域３６が発生し、５分のＰＳ未記録領域３５が残っている。
【００２１】
次に、期間Ｔ４の状態が示すように、ＰＳ未記録領域３５はＰＳ録画モードによる録画で全て消耗されてＰＳ記録済領域３８となり、新たにＴＳ保存用ファイルのＴＳ未記録領域３２の所定量（例えば１５分の容量）をＰＳ未記録領域３７として確保する。
【００２２】
次に、期間Ｔ５の状態が示すように、更に６分のＰＳ録画モードの記録があると、９分のＰＳ未記録領域３９が残り、合計２１分のＰＳ記録済領域４０となる。この９分のＰＳ未記録領域３９は、ＴＳ保存用ファイル２のＴＳ未記録領域３２に返却される。
【００２３】
次に、期間Ｔ６の状態が示すように、最終的にＰＳ保存用ファイル１は、２１分のＰＳ記録済領域４０とＰＳ記録済領域３３となる。
【００２４】
（書換可能なＨＤ ＤＶＤの記録領域割当処理；図４，図６）
次に、書換可能なＨＤ ＤＶＤの記録領域割当処理を、図４の遷移図及び図６のフローチャートを用いてＴＳ録画モード・ＰＳ録画モードに対応付けて説明する。ここでは、書換可能なＨＤ ＤＶＤを一例に説明する。
【００２５】
制御部１９の記録領域割当部は、初め、未記録領域の１００％をＴＳ未記録領域Ａ０と割り当てる（ステップＳ１０）。次に、操作部１８等から録画を指示されると（ステップＳ１１）、これがＴＳ録画モードの録画指示であれば（ステップＳ１２）、録画及びＤＶＤ−ＶＲ規格論理データを作成するべく、図４のようにＴＳ保存領域Ａ１とＴＳ未記録領域Ａ２とを生成する（ステップＳ２０）。そして、録画終了までこの処理を続行する（ステップＳ２１）。
【００２６】
次に、操作部１８等から録画指示が、ＰＳ録画モードの録画指示であれば（ステップＳ１２）、ＴＳ未記録領域Ａ２の所定量（例えば１５分）をＰＳ未記録領域Ａ４に割り付ける（ステップＳ１３）。そして、録画及びＤＶＤ−ＶＲ規格論理データを作成する（ステップＳ１４）。ここで、録画処理が進みこの１５分の容量を使い果たすと（ステップＳ１５）、ステップＳ１３に戻り、再び、ＴＳ未記録領域Ａ２の所定量（例えば１５分）をＰＳ未記録領域Ａ４に割り付ける処理を繰り返す。
【００２７】
これで録画終了となれば（ステップＳ１６）、割付記録領域に（例えば残り３分の）未記録領域Ａ６があれば（ステップＳ１７）、ＴＳ未記録領域Ａ５に戻す（ステップＳ１８）。その後、ＰＳ保存領域の管理データを作成する（ステップＳ１９）。
【００２８】
更に、図４のようにＴＳ録画モードの録画処理があれば、ＴＳ保存領域Ａ８とＴＳ未記録領域Ａ９とに管理情報が生成される。
【００２９】
このように、本発明に係る光ディスク装置での記録領域割当処理においては、図８に示すように、ＰＳ保存用ファイル１は、初期値としてゼロが与えられ、ＴＳ保存用ファイルが録画・ダビングで使用可能な領域全体（１００％）が与えられ、ＰＳ録画モードでの録画指示があれば、所定量（例えば、１５分等）毎にＰＳ未記録領域が割当られる。
【００３０】
これにより、従来のように、ユーザの設定に応じて、予め、ＴＳファイルとＰＳファイルの比率を７：３に割り当てる等の方法に比べて、より効率的な割り当てが可能となる。
【００３１】
（ライトワンスのＨＤ ＤＶＤの記録領域割当処理；図５，図７）
次に、ライトワンスのＨＤ ＤＶＤの記録領域割当処理を、図５の遷移図及び図７のフローチャートを用いてＴＳ録画モード・ＰＳ録画モードに対応付けて説明する。ここでは、書換可能なＨＤ ＤＶＤを一例に説明する。
【００３２】
ライトワンスのＨＤ ＤＶＤの記録領域割当処理は、一例として、初めに全ての記録領域をＴＳ未記録領域と設定し、ＰＳ録画モードによる記録指示があれば、ＴＳ未記録領域の全てをＰＳ未記録領域と設定して記録を行ない、記録が終了すれば、残りのＰＳ未記録領域の全てを再びＴＳ未記録領域に戻すというものである。
【００３３】
ここでは全体の録画時間が１２０分の場合を例にとって、図５及び図７を用いて説明する。図５において、光ディスク装置の制御部１９は、初期状態で全ての未記録領域をＴＳ未記録領域（一例として１２０分）として管理情報を生成する（ステップＳ１０）。
【００３４】
次に、制御部（記録領域割当部）１９は、操作部１８等から録画指示を意味する操作信号を受けると（ステップＳ１１）、これがＴＳ録画モードの録画指示であれば（ステップＳ１２）、録画及びＤＶＤ−ＶＲ規格論理データを作成するべく、ＴＳ未記憶領域Ａ１０の一部領域に対してＴＳ保存をおこなう（ステップＳ２０）。そして録画終了までこの処理を続行する（ステップＳ２１）。例えばＴＳ録画を２０分間おこなった場合、 図５のように２０分のＴＳ保存領域Ａ１１と１００分のＴＳ未記録領域Ａ１２とが生成される。
【００３５】
次に、操作部１８等からＰＳ録画モードの録画指示があれば（ステップＳ１２）、ＴＳ未記録領域Ａ２の残り全て（例えば１００分）をＰＳ未記録領域Ａ１３に割り付ける（ステップＳ３１）。そして、例えば２０分のＰＳ保存領域情報Ａ１５としての録画及びＤＶＤ−ＶＲ規格論理データを作成する（ステップＳ１４）。
【００３６】
これで録画終了となれば（ステップＳ１６）、割付記録領域に（例えば残り８０分の）ＰＳ未記録領域があれば（ステップＳ１７）、これをＴＳ未記録領域Ａ１４に戻す（ステップＳ３２）。その後、ＰＳ保存領域の管理データを作成する（ステップＳ１９）。
【００３７】
更に、図５のようにＴＳ録画モードの録画処理があれば、一例として、１０分のＴＳ保存領域Ａ１６と７０分のＴＳ未記録領域Ａ１７の管理情報が生成される。
【００３８】
このように、本発明に係る光ディスク装置での記録領域割当処理において、図８に示すように、ＰＳ保存用ファイル１は、初期値としてゼロが与えられ、ＴＳ保存用ファイルが録画・ダビングで使用可能な領域全体（１００％）が与えられ、ＰＳ録画モードでの録画指示があれば記録済領域の残り全部のＰＳ未記録領域が割当られる。
【００３９】
これにより、従来のようにユーザの設定に応じて予めＴＳファイルとＰＳファイルの比率を例えば７：３等に割り当てる方法に比べて、より効率的な割り当てが可能となる。
【００４０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４１】
【図１】本発明の一実施形態に係る光ディスク装置の構成の一例を示すブロック図。
【図２】本発明の一実施形態に係る光ディスク装置が扱うＰＳ保存用ファイルとＴＳ保存用ファイルのイメージを示した説明図。
【図３】本発明の一実施形態に係る光ディスク装置が扱う光ディスクの記録領域、未記録領域の遷移の一例を示す遷移図。
【図４】本発明の一実施形態に係る光ディスク装置が扱う書換可能なＨＤ ＤＶＤにおける管理情報の遷移の一例を示す遷移図。
【図５】本発明の一実施形態に係る光ディスク装置が扱うライトワンスのＨＤ ＤＶＤにおける管理情報の遷移の一例を示す遷移図。
【図６】本発明の一実施形態に係る光ディスク装置の管理情報の生成処理の一例を示すフローチャート。
【図７】本発明の一実施形態に係る光ディスク装置の管理情報の生成処理の他の一例を示すフローチャート。
【図８】本発明の一実施形態に係る光ディスク装置のＰＳ保存用ファイルとＴＳ保存用ファイルの一例を示す説明図。
【符号の説明】
【００４２】
１０…デジタルチューナ、１１…アナログチューナ、１３…ＭＰＥＧエンコーダ、１４…データ処理部、１５…ディスクドライブ部、１６…ＭＰＥＧデコーダ、１７…出力部、１８…操作部、１９…制御部。
【図１】
2008027495.tif 000003
【図２】
2008027495.tif 000004
【図３】
2008027495.tif 000005
【図４】
2008027495.tif 000006
【図５】
2008027495.tif 000007
【図６】
2008027495.tif 000008
【図７】
2008027495.tif 000009
【図８】
2008027495.tif 000010